(57)【要約】      （修正有）【課題】受けた圧力に対応して密着性が高まる合理的な構造の封止具を提供する。【解決手段】使用時にポリ袋４の開口部４ａが架け渡される第一部材１と、第一部材１に架け渡された開口部４ａを保持する第二部材２と、を有し、反転Ｕ字状の開口部４ａの外側から第一部材１に第二部材２が装着される封止具である。第一部材１は、開口部４ａの下面に接触して板状に延びる橋部と、先端部と、基端部とを有し、第二部材２は、開口部４ａの上面に接触して板状に延びる一対の突出部と、連設部とを有して構成され、ポリ袋が加圧されると、第二部材２が、第一部材１に向けて押圧される。【選択図】図１
0003189613.tif 000002
【実用新案登録請求の範囲】
【請求項１】
使用時に袋材の開口部が架け渡される第一部分と、第一部分に架け渡された開口部を保持する第二部分と、を有し、
第一部分に架け渡された反転Ｕ字状の開口部の外側から、袋材の開口部を挟んで、第一部分に第二部分が装着される封止具であって、
第一部分は、反転Ｕ字状の開口部の下面に接触して板状に延びる橋部と、橋部の一端に連設された基端部と、橋部の他端に連設された先端部とを有して一体構成され、
第二部分は、反転Ｕ字状の開口部の上面に接触して板状に延びる一対の突出部と、一対の突出部の基端に連設された連設部とを有して一体構成され、
空気を内包した袋材が加圧されると、第二部分が第一部分に向けて押圧されるよう構成されていることを特徴とする袋材の封止具。
【請求項２】
第一部分の先端部は、第二部分の突出部の先端片を受け入れるよう構成され、
空気を内包した袋材が加圧されると、突出部が上方に加圧されて、その先端片が第一部分の先端部を押圧するよう構成されている請求項１に記載の袋材の封止具。
【請求項３】
前記先端部の下方空間に、前記一対の先端片が挿入され、これが上方に加圧されると、先端部の下面を押圧するよう構成されている請求項２に記載の封止具。
【請求項４】
第一部分の基端部は、第二部分の連設部を受け入れるよう構成され、
空気を内包した袋材が加圧されると、第二部分の連設部が上方に加圧されて、第一部分の基端部を押圧するよう構成されている請求項１〜３の何れかに記載の袋材の封止具。
【請求項５】
前記基端部の下方空間に、第二部分の連設部を受け入れるよう構成され、この受け入れ状態を維持する係合片が、前記基端部の下方空間、及び／又は、前記連設部に設けられている請求項４に記載の封止具。
【請求項６】
第一部分の基端部は、第二部分の連設部の一部が位置するよう構成され、
空気を内包した袋材が加圧されると、第二部分の連設部が上方に加圧されて、第一部分の基端部を押圧するよう構成されている請求項１又は２に記載の袋材の封止具。
【請求項７】
前記基端部の下方空間に、前記連設部の一部を受け入れるよう構成され、この受け入れ状態を維持する係合部が、前記基端部の下方空間、及び／又は、前記連設部の一部に設けられている請求項６に記載の封止具。
【考案の詳細な説明】
【技術分野】
【０００１】
本考案は、袋材の開口を閉栓する封止具に関し、特に、袋材に空気を閉じ込めるための学習教材用の器具として好適に活用される。
【背景技術】
【０００２】
小学校四年生程度を対象として、身の周りに普通に存在する空気や水の性質を理解するため、「空気と水」の単元が用意されている。この学習単元では、生徒自身がポリ袋に空気を閉じ込め、その存在や弾力について体験的に学習している。
【先行技術文献】
【特許文献】
【０００３】
【特許文献１】特開２０００−２２９６４８号公報
【特許文献２】実用新案登録３１１３７２１号公報
【考案の概要】
【考案が解決しようとする課題】
【０００４】
この「空気と水」の単元では、空気を閉じ込めて閉栓したポリ袋を、複数人が両側から押圧することもあるので、このような使用態様でも破裂しないやや厚手の材料を使用する場合があり、また、このポリ袋には、生徒から受ける圧力に対応できる程度の気密性が必要となる。
【０００５】
ここで、ポリ袋の開口を閉栓する部品としては、各種のものが知られているが（特許文献１〜２）、何れの考案も、受けた圧力に対応して密着性が高まる合理的な構造を有しておらず、ポリ袋を押圧した際に、封止具を開栓する方向に力が加わる構造となっている。しかも、学習教材用の部品として事実上使用できないか、或いは、必ずしも、閉栓作業が容易ではないという問題がある。
【０００６】
本考案は、上記の課題に鑑みてなされたものであって、受けた圧力に対応して密着性が高まる合理的な構造を有する封止具を提供することを目的とする。
【課題を解決するための手段】
【０００７】
上記の目的を達成するため、本考案は、使用時に袋材の開口部が架け渡される第一部分と、第一部分に架け渡された開口部を保持する第二部分と、を有し、第一部分に架け渡された反転Ｕ字状の開口部の外側から、袋材の開口部を挟んで、第一部分に第二部分が装着される封止具であって、第一部分は、反転Ｕ字状の開口部の下面に接触して板状に延びる橋部と、橋部の一端に連設された基端部と、橋部の他端に連設された先端部とを有して一体構成され、第二部分は、反転Ｕ字状の開口部の上面に接触して板状に延びる一対の突出部と、一対の突出部の基端に連設された連設部とを有して一体構成され、空気を内包した袋材が加圧されると、第二部分が第一部分に向けて押圧されるよう構成されている。
【０００８】
なお、本考案は、封止具の一部に、第一部分と第二部分とを有することを特徴とする。そして、例えば、第二実施例の封止具のように、本考案の第一部分と第二部分が別体であっても良いし、逆に、例えば、第一実施例の封止具を、樹脂シート３も含めて一体成型した場合のように、第一部分と第二部分が、一体品（封止具）の一部であっても良い。したがって、第一部分と第二部分に加えて、第三の部分、その他が追加されることは、本考案において何ら禁止されない。
【０００９】
何れにしても、本考案において、第一部分の先端部は、第二部分の突出部の先端片を受け入れるよう構成され、空気を内包した袋材が加圧されると、突出部が上方に加圧されて、その先端片が第一部分の先端部を押圧するよう構成されているのが好適である。ここで、前記先端部の下方空間に、前記一対の先端片が挿入され、これが上方に加圧されると、先端部の下面を押圧するよう構成されていると更に好適である。
【００１０】
また、第一部分の基端部は、第二部分の連設部を受け入れるよう構成され、空気を内包した袋材が加圧されると、第二部分の連設部が上方に加圧されて、第一部分の基端部を押圧するよう構成されているのが好適である。ここで、前記基端部の下方空間に、第二部分の連設部を受け入れるよう構成され、この受け入れ状態を維持する係合片が、前記基端部の下方空間、及び／又は、前記連設部に設けられていると更に好ましい。
【００１１】
また、第一部分の基端部は、第二部分の連設部の一部が位置するよう構成され、空気を内包した袋材が加圧されると、第二部分の連設部が上方に加圧されて、第一部分の基端部を押圧するよう構成されているのが好ましい。この場合、前記基端部の下方空間に、前記連設部の一部を受け入れるよう構成され、この受け入れ状態を維持する係合部が、前記基端部の下方空間、及び／又は、前記連設部の一部に設けられていると更に好適である。
【考案の効果】
【００１２】
上記した本考案によれば、受けた圧力に対応して密着性が高まる合理的な構造を有した封止具を実現できる。
【図面の簡単な説明】
【００１３】
【図１】第一実施例の封止具について、その斜視図と、使用方法とを図示したものである。
【図２】第一実施例の封止具を構成する第一部材を図示したものである。
【図３】第一実施例の封止具を構成する第二部材を図示したものである。
【図４】第二部材を第一部材に収容した保持状態を図示したものである。
【図５】第二実施例の封止具について、その斜視図と、使用方法とを図示したものである。
【図６】第二実施例の封止具を構成する第一部材を図示したものである。
【図７】第二実施例の封止具を構成する第二部材を図示したものである。
【図８】完成状態の第二実施例において展開状態を図示したものである。
【図９】完成状態の第二実施例において閉鎖状態を図示したものである。
【考案を実施するための形態】
【００１４】
以下、実施例に基づいて本考案を更に詳細に説明する。但し、実施例を例示するものであって、何ら本考案を限定しない。図１は、第一実施例の封止具ＳＬについて、その斜視図（ａ）と、使用方法（（ｂ）〜（ｄ））とを図示したものである。
【００１５】
図１に示す通り、第一実施例の封止具ＳＬは、第一部材１（第一部分）と第二部材（第二部分）２と、これらを接続する可撓性に優れた樹脂シート３（第三部分）と、で構成されている。樹脂シート３は、例えば、基端側を形成する頂上片３ａと、頂上片３ａに直交して延びる直長片３ｂとで、略Ｔ字状に形成され、頂上片３ａが第二部材２に接着され、直長片３ｂの先端部が、第一部材１に接着されることで、三つの部材１，２，３が一体化されて封止具ＳＬが完成状態となる。
【００１６】
なお、必ずしも、一体化の手法は、接着などに限定されず、他の任意の固着方法を採ることができ、更に、封止具ＳＬ全体を、樹脂シート３の部分も含めて、一体成型により完成させても良いのは勿論である。
【００１７】
図１（ｂ）〜図１（ｄ）に示す通り、使用状態では、ポリ袋４の開口部４ａが第一部材１に架け渡され（図１（ｂ）参照）、この架け渡し状態で、第一部材１の下面に第二部材２を嵌め込むことで（図１（ｃ）参照）、ポリ袋４の開口部４ａが反転Ｕ字状に保持される（図１（ｄ）参照）。
【００１８】
図２と図３は、封止具ＳＬを構成する第一部材１と第二部材２を図示したものであり、図４は、第一部材１に第二部材２を収容した状態を示している。図２は、詳細には、第一部材１について、上面斜視図（ａ）、平面図（ｂ）、下面斜視図（ｃ）、及び、底面図（ｄ）を図示している。また、図３は、詳細には、第二部材２について、上面斜視図（ａ）、平面図（ｂ）、下面斜視図（ｃ）、及び、底面図（ｄ）を図示している。
【００１９】
図２に示す通り、第一部材１は、基端側（図示右側）から先端側に向けて長板状に延びる橋部１０と、橋部１０の端部から幅方向両側に連設される先端部１１及び基端部１２と、が一体形成されて構成されている。
【００２０】
橋部１０は、詳細には、平板状のベース板１０ａと、ベース板１０ａの幅方向両端に立設される壁板１０ｂ，１０ｂとで構成されている。壁板１０ｂ，１０ｂの離間距離は、樹脂シート３の直長片３ｂに対応した幅寸法を有しており、ベース板１０ａの表面は、直長片３ｂの先端部を接着させる平坦面となっている。なお、空気を閉じ込めたポリ袋４の膨張表面が接触するベース板１０の裏面１０Ｒは、平坦に構成されている（図１（ｃ）図４（ｄ）参照）。
【００２１】
また、左右の壁板１０ｂ，１０ｂの頂上面ＴＰ１は、ポリ袋４の開口部４ａが橋部１０に架け渡されたとき（図１（ｂ）参照）、開口部４ａの下面が接触する部分である。そのため、ポリ袋４の開口部４ａを、ポリ袋４からの圧力に対応して効果的に閉栓できるよう、この実施例では、頂上面ＴＰ１が平坦に形成されている。
【００２２】
図２（ｃ）に示す通り、先端部１１と基端部１２の裏面側は、第二部材２の収容空間ＳＰを形成している。すなわち、先端部１１と基端部１２は、第二部材２を収容できる形状と深さの矩形箱状に形成され、各々、平坦な下面を有する平板部１１ａ，１２ａと、平板部１１ａ，１２ａに直交して立設される側部１１ｂ，１２ｂと、に大別される（図２（ｂ）参照）。
【００２３】
そして、先端部１１の側部１１ｂには、その一部が切り欠かれて、二つの係合穴１３が形成されている。この係合穴１３，１３は、第二部材２の先端片２２（図３（ａ））を受け入れ可能な形状に構成されている。
【００２４】
図２（ｄ）に示す通り、先端部１１と基端部１２の平板部１１ａ，１２ａには、互いに近づく方向に延設された延長部ＥＸが形成されている。ここで、延長部ＥＸの幅寸法は、第二部材２の突出部２０（図３（ａ））より、やや幅狭に設定されており、第一部材１の係合穴１３に、第二部材２の先端片２２が挿入された状態では、延長部ＥＸが、第二部材２の突出部２０を受け止めるようになっている。そして、延長部ＥＸ及び突出部２０と橋部１０とで形成される開口溝は、ポリ袋４の開口部４ａが反転Ｕ字状に通過する通過溝ＰＡＳを形成している（図４（ｂ）（ｄ）参照）。
【００２５】
この通過溝ＰＡＳの幅は、ポリ袋４の厚みを考慮して、閉栓操作の操作性と、閉栓後の気密性を担保する寸法に設定されている。但し、本実施例の封止具ＳＬは、ポリ袋４から受ける圧力が高まるほど、ポリ袋４に強く接触する構造を有しているので、通過溝ＰＡＳを特に狭く設定する必要がない。すなわち、本実施例では、耐破裂強度に優れた厚手のポリ袋４を使用した場合でも、ポリ袋４の開口部４ａを第一部材１に架け渡して保持する閉栓作業に困難性がない。
【００２６】
図２（ａ）や図２（ｂ）に示す通り、基端部１２の平板部１２ａの一部（二箇所）は、板厚方向に貫通しており、この貫通穴１４，１４の位置に対応して、基端部１２の側部１２ｂの内面には、２つの係止突起１５，１５が薄板状に形成されている。この係止突起１５，１５は、第二部材２が第一部材１に収容されたとき、第二部材２の基端部を受け止めて保持する部分である。
【００２７】
続いて、図３に基づいて第二部材２について説明する。図３に示す通り、第二部材２は、基端側から先端側に向けて長板状に延びる一対の突出部２０と、一対の突出部２０の基端を接続する連設部２１とを有して一体構成されている。連設部２１の表面は平坦に形成されており、ここには、樹脂シート３の頂上片３ａが接着される（図１（ａ）参照）。
【００２８】
一対の突出部２０は、各々、平板状の本体板２０ａと、本体板２０ａの幅方向内端に形成された内壁２０ｂと、を有して構成されている。一対の内壁２０ｂ，２０ｂの頂上面ＴＰ２は、空気を閉じ込めたポリ袋４の開口部４ａの外表面に当接される部分であり（図１（ｄ）参照）、ポリ袋４からの圧力に対応して閉栓機能を高めるべく平坦に形成されている。
【００２９】
一対の本体板２０ａの先端には、やや幅狭に形成された先端片２２が各々形成されており、使用状態では、二つの先端片２２，２２が、第一部材１の係合穴１３，１３に挿入されることで、第二部材２の先端側が第一部材１の収容空間ＳＰに保持される。第二部材２の本体板２０ａの長さ寸法Ｌは、第一部材１の基端部１２と先端部１１が形成する収容空間ＳＰの長さ寸法に対応している。そのため、第二部材２を折返して、一対の突出部２０の先端片２２，２２を、第一部材１の係合穴１３，１３に挿入した状態で、第二部材２の連設部２１を第一部材１の収容空間ＳＰに押し込むと、連設部２１が第一部材１の係止突起１５，１５を乗り越えて滑り込むことで、第二部材２の全体が第一部材１に安定的に保持される。図４は、この保持状態を示したものであって、具体的には、上面斜視図（ａ）と、平面図（ｂ）と、下面斜視図（ｃ）と底面図（ｄ）とを図示している。
【００３０】
続いて、上記の構成を有する第一実施例の封止具ＳＬについて、その使用方法を確認的に説明する。図１（ｂ）に示す通り、第一部材１と第二部材２を展開した状態で、ポリ袋４の開口部４ａを第一部材の橋部１０に架け渡して反転Ｕ字状に束ねる。次に、反転Ｕ字状に束ねられた開口部４ａの外側から開口部４ａを挟み込むように、第二部材２の下面に第一部材１に装着する（図１（ｃ））。
【００３１】
先に説明した通り、この装着作業は、第二部材２の先端片２２を、第一部材１の係合穴１３に挿入した状態で、第二部材２の連設部２１を、第一部材１の収容空間ＳＰに押し込む。そして、この装着状態では、第一部材１の壁板１０ｂの頂上面ＴＰ１が、ポリ袋４の開口部４ａの下面に接触し、第二部材２の内壁２０ｂの頂上面ＴＰ２が、ポリ袋４の開口部４ａの上面に接触している。
【００３２】
そして、これら接触は、全てほぼ線接触であるので、ポリ袋４からの圧力が強まるほど、ポリ袋４の開口部４ａが、封止具ＳＬの頂上面ＴＰ１，ＴＰ２に、強く線接触することで密着性が高まる。なお、ポリ袋４からの圧力が強まるほど、第二部材２が第一部材１に強く押圧されるので、二つの部材１，２が分離状態になるおそれもない。
【００３３】
図５は、第二実施例の封止具ＳＬについて、その斜視図（図５（ａ）図５（ｂ））と、使用方法（図５（ｃ）〜図５（ｄ））とを図示したものである。図５に示す通り、第二実施例の封止具ＳＬは、スライド式に開閉可能な第一部材（第一部分）３１と、第二部材３２（第二部分）とで構成されている。
【００３４】
図５（ｃ）〜図５（ｄ）に示す通り、使用時には、第一部材３１から第二部材３２を押し広げた状態で、ポリ袋４の開口部４ａを第一部材１に架け渡し（図５（ｃ）参照）、この架け渡し状態で、第二部材３２を第一部材３１の方向に押し戻せば閉栓作業が完了する（図５（ｄ）参照）。このように、第二実施例は、その操作方法が直観的に理解できる大きな利点がある。
【００３５】
図６と図７は、封止具ＳＬを構成する第一部材３１と第二部材３２を図示したものである。図６は、第一部材３１を示しており、具体的には、上面斜視図（ａ）、平面図（ｂ）、下面斜視図（ｃ）、及び、底面図（ｄ）を図示している。また、図７は、第二部材３２を示しており、具体的には、上面斜視図（ａ）、平面図（ｂ）、下面斜視図（ｃ）、及び、底面図（ｄ）を図示している。
【００３６】
図６に示す通り、第一部材３１は、基端側から先端側に向けて長板状に延びる橋部４０と、橋部４０の端部から幅方向両側に連設される先端部４１及び基端部４２と、が一体形成されて構成されている。
【００３７】
橋部４０は、詳細には、平板状のベース板ＢＳと、ベース板ＢＳの幅方向両端に立設される壁板ＷＬ，ＷＬとで構成されている。ここで、壁板ＷＬは、ベース板ＢＳのより上方から下方に至っている。すなわち、橋部４０は、表面側がＵ字状の断面形状となる一方で、裏面側が反転Ｕ字状の断面形状となり、全体としては断面Ｈ状に形成されている。
【００３８】
表面側に立設される左右の壁板５１の頂上面ＴＰ１は、ポリ袋４の開口部４ａが橋部４０に架け渡されたとき（図５（ｃ）参照）、開口部４ａの下面が接触する部分である。そのため、第一実施例の場合と同様、頂上面ＴＰ１を平坦に形成しても良いが、ここでは、ポリ袋４からの圧力に対応して、ポリ袋４の開口部４ａとの摩擦力を高めるべく、壁板５１の頂上面ＴＰ１を波状の凹凸形状としている。
【００３９】
断面Ｈ状の橋部４０のうち、裏面側に立設される左右の壁板５２は、第二部材３２の挿入部を受け入れる収容溝５３を形成している。そして、収容溝５３の先端は、先端部４１によって閉塞される一方、収容溝５３の基端は、薄板状の阻止片５４によって閉塞されている。
【００４０】
図６（ｃ）に示す通り、先端部４１には、先端部４１の周縁を下方に延びる下方壁５５が形成されている。この下方壁５５は、第二部材３２の挿入先端の収容空間ＳＰを形成しており、第二部材３２の挿入先端が下方壁５５に案内されることで、第二部材３２が適所に受け止められる。
【００４１】
また、先端部４１と基端部４２には、互いに近づく方向に延設された延長部ＥＸが形成されている。延長部ＥＸの幅寸法は、第二部材３２の突出部６０（図７（ａ））の幅寸法に対応して、やや幅狭に形成されており、第一部材３１に、第二部材３２の挿入先端が挿入された状態では、延長部ＥＸが、第二部材３２の突出部６０を受け止めるようになっている。そして、延長部ＥＸ及び突出部６０と橋部４０とで形成される開口溝は、ポリ袋４の開口部４ａが反転Ｕ字状に通過する通過溝ＰＡＳを形成している（図９（ｂ）（ｄ）参照）。
【００４２】
一方、基端部４２は、図６（ａ）に示す通り、二つの矩形穴ＨＯが形成された本体部５６と、本体部５６から上方に立設された基端壁５７と、本体部５６から下方に立設された側壁５８とを有して構成されている。ここで、基端壁５７は、橋部４０の壁板５１に連続して同一高さに形成されている。
【００４３】
また、基端部４２の本体部５６を貫通する二つの矩形穴ＨＯ，ＨＯに対応して、側壁５８の下方先端には、係止片５９が直交して形成されている。係止片５９は、第二部材３２が第一部材３１に挿入される封止具ＳＬの組付け時や使用時に、第二部材３２を第一部材３１の中に案内する部分であり、第二部材３２のスライド移動の起点となる（図８（ｃ）参照）。
【００４４】
続いて、図７に基づいて第二部材３２について説明する。図７に示す通り、第二部材３２は、基端側から先端側に向けて長板状に延びる左右一対の突出部６０と、一対の突出部６０の基端を接続する連設部６１と、左右一対の突出部６０の間を長板状に平行して延びる挿入部６２と、を有して一体構成されている。そして、左右一対の突出部６０の先端が、第一部材３１に対する挿入先端を構成している。
【００４５】
図７（ｃ）に示す通り、一対の突出部６０の内側には、垂直壁６３が下方に向けた立設されている。また、垂直壁６３に連続して、連設部６１の下方にも円弧壁６４が形成されている。垂直壁６３と円弧壁６４は同一高さであり、その頂上面ＴＰ２は、平坦に形成されている。
【００４６】
図５（ｃ）から確認される通り、垂直壁６３の頂上面ＴＰ２は、空気を閉じ込めたポリ袋４の開口部４ａの外表面に当接される部分であり、ポリ袋４からの圧力に対応して閉栓機能を高めるべく平坦に形成されている。
【００４７】
連設部６１の表面側には、第一部材３１の基端壁５７に対応する形状の当接壁６５と、第一部材３１の阻止片５４に対応する形状の係止突起６６と、が形成されている。ここで、当接壁６５は、第二部材３２をスライド移動して第一部材３１に挿入した場合に、第一部材３１の基端壁５７に当接されることで、それ以上のスライド移動を阻止している（図９（ａ）参照）。
【００４８】
また、係止突起６６は、に第二部材３２が第一部材３１に装着された状態において（図５（ｄ）参照）、第一部材３１の阻止片５４に係合する部分であり、ポリ袋４から予期しない方向の圧力を受けた場合でも、第一部材３１と第二部材３２が分離状態になることを阻止している。
【００４９】
一対の突出部６０に平行して延びる挿入部６２は、係止突起６６の位置に連続して、連設部６１から板状に突出して形成されている。そして、挿入部６２の先端には、フック部６７が形成されている。
【００５０】
フック部６７は、この実施例では、組付ガイド面を形成する一対の三角板ＡＧと、一対の三角板ＡＧを連絡する直立板ＳＴとで形成されている。
【００５１】
ここで、三角板ＡＧは、分離状態の第一部材３１と第二部材３２とを一体化させる組付け時に、挿入部６２を第一部材３１の収容溝５３に案内する部分である。一方、直立板ＳＴは、第二部材３２の第一部材３１への組付け後、第二部材３２を引き抜き方向に操作された場合に、第一部材３１の阻止片５４に係止される部分であり、仮に、生徒が強引な引き抜き操作をした場合でも、第二部材３２が第一部材３１から抜け落ちることを防止している。
【００５２】
続いて、上記の構成を有する第二実施例の封止具ＳＬについて、その使用方法を確認的に説明する。図５（ａ）と図５（ｂ）に示す通り、第二部材３２を第一部材３１とに組付けた後は、二つの部材３１，３２は、スライド移動によって自由に開閉できるが、第二部材３２の直立板ＳＴと、第一部材３１の阻止片５４との係止によって、二つの部材３１，３２が分離されることはない。
【００５３】
そのため、必要な位置まで二つの部材を広げた状態で、ポリ袋４の開口部４ａを第一部材の橋部１０に架け渡して反転Ｕ字状に束ねる（図５（ｃ））。次に、反転Ｕ字状に束ねられた開口部４ａの外側から開口部４ａを挟み込むように、第二部材３２をスライド移動して第一部材３１に装着する（図５（ｄ））。
【００５４】
この装着状態では、第一部材３１の壁板５１の頂上面ＴＰ１が、ポリ袋４の開口部４ａの下面に接触し、第二部材２の垂直壁６３の頂上面ＴＰ２が、ポリ袋４の開口部４ａの上面に接触している。
【００５５】
そして、左右一対の垂直壁６３，６３の頂上面ＴＰ２，ＴＰ２と、ポリ袋４の開口部４ａとの接触は、ほぼ線接触であるので、ポリ袋４からの圧力が強まるほど、ポリ袋４の開口部４ａが、封止具ＳＬの頂上面ＴＰ２に強く線接触することになり、密着性が高まる。また、一対の壁板５１の頂上面ＴＰ１，ＴＰ１は、凹凸形状であるので、ポリ袋４からの圧力が強くても、ポリ袋４の開口部が移動することはない。また、ポリ袋４からの圧力が強まるほど、第二部材２が第一部材１に強く押圧されるので、二つの部材１，２が分離状態になるおそれもない。なお、係止突起６６と阻止片５４とが、係合して有効に機能することも先に説明した通りである。
【００５６】
以上の通り、何れの実施例でも、ポリ袋から受ける圧力に対応して密着性が高まる合理的な構造を有している。そのため、ポリ袋４の開口部４ａが反転Ｕ字状に通過する通過溝ＰＡＳを余裕のある形状にすることができ、例え、厚手の材料を使用した場合でも、強い力を要することなく袋材の開口を閉栓することができる。
【００５７】
以上、本考案の実施例について具体的に説明したが、具体的な記載内容は、何ら本考案を限定するものではなく、同一又は類似の構成に変更することが可能である。
【００５８】
例えば、第一実施例では、第一部材１や第二部材２とは別体の樹脂シート３（第三部材）を用意し、事後的に、第三部材３を第一部材１及び第二部材２に接着したが、これら三つの部分を一体成型して完成させるのが好適であることは、前記した通りである。
【００５９】
また、上記各実施例では、成型作業を容易化するため、各部に作業穴（貫通穴１４や矩形穴ＨＯなど）を設けているが、実施例の封止具ＳＬにおいて、これら作業穴や、その他の細部構成が、何ら本考案を限定しないことは言うまでもない。
【符号の説明】
【００６０】
封止具    ＳＬ
袋材      ４
開口部    ４ａ
第一部分  １
第二部分  ２
橋部      １０
先端部    １１
基端部    １２
突出部    ２０
連設部    ２１
【図２】
0003189613.tif 000003
【図３】
0003189613.tif 000004
【図４】
0003189613.tif 000005
【図６】
0003189613.tif 000006
【図７】
0003189613.tif 000007
【図８】
0003189613.tif 000008
【図９】
0003189613.tif 000009
【図１】
0003189613.tif 000010
【図５】
0003189613.tif 000011